(57)【要約】【課題】異常モード中に商用電源が供給されなくなった場合でも使用者に与える違和感をなくし、使い勝手を向上させた電気湯沸かし器を提供することを目的とする。【解決手段】バックアップ電源２１を備え、異常モード中に商用電源が遮断されると、所定時間経過するまでは表示手段１９での異常表示を維持する構成としたことにより、商用電源が供給されなくなった時に起こるちらつき感を防止できるため、使用者に与える違和感をなくすことができ、使い勝手を向上させることができる。【選択図】  図１
2004230097.tif 000002
【特許請求の範囲】
【請求項１】
バックアップ電源を備え、異常モード中に商用電源が遮断されると、所定時間経過するまでは異常表示を維持する構成とした電気湯沸かし器。
【請求項２】
異常表示とともに経過時間を表示する請求項１に記載の電気湯沸かし器。
【請求項３】
異常表示のみ点滅して行う構成とした請求項２に記載の電気湯沸かし器。
【請求項４】
所定時間経過後は、表示は行わない構成とした請求項１〜３のいずれか１項に記載の電気湯沸かし器。
【請求項５】
所定時間経過後は、経過時間のみ表示を行う構成とした請求項２または３に記載の電気湯沸かし器。
【請求項６】
所定時間経過後は、表示を点滅して行う構成とした請求項１〜３のいずれか１項に記載の電気湯沸かし器。
【請求項７】
所定時間経過後は、異常表示を終了し温度表示を行う構成とした請求項１〜３のいずれか１項に記載の電気湯沸かし器。
【請求項８】
所定時間経過後は、温度表示とともに経過時間を表示する請求項７に記載の電気湯沸かし器。
【請求項９】
表示を点滅して行う構成とした請求項８に記載の電気湯沸かし器。
【請求項１０】
異常モードから復帰できる条件のときは、異常表示を終了し温度表示を行う構成とした請求項７〜９のいずれか１項に記載の電気湯沸かし器。
【発明の詳細な説明】
【０００１】
【発明の属する技術分野】
本発明は、異常モード中に商用電源が遮断されると、異常表示をする電気湯沸かし器に関するものである。
【０００２】
【従来の技術】
従来、商用電源が供給されているときに電動ポンプなどに異常が発生すれば異常表示を行う電気湯沸かし器は知られている（例えば、特許文献１参照）。
【０００３】
【特許文献１】
特開平５−１５４０４４号公報
【０００４】
【発明が解決しようとする課題】
しかしながら、上記従来のものでは、異常表示が行われるが、その異常表示中に商用電源が供給されなくなった場合については言及されておらず、使い勝手を配慮したものではなかった。
【０００５】
本発明は、上記従来の課題を解決するもので、異常モード中に商用電源が供給されなくなった場合に、表示内容が異常表示から別のものにすぐ切り替わることによるちらつき感を防いで、使用者に与える違和感をなくし、使い勝手を向上させた電気湯沸かし器を提供することを目的とするものである。
【０００６】
【課題を解決するための手段】
前記目的を達成するために、本発明の電気湯沸かし器は、異常モードでの異常状態を表示中に商用電源が供給されなくなれば、所定時間経過するまでは商用電源の供給が終了したときの異常表示を維持する構成としたものである。
【０００７】
これによって、商用電源が供給されなくなった時に起こるちらつき感を防止し、使用者に与える違和感をなくすことができ、使い勝手を向上させることができる。
【０００８】
【発明の実施の形態】
請求項１に記載の発明は、バックアップ電源を備え、異常モード中に商用電源が遮断されると、所定時間経過するまでは異常表示を維持する構成とした電気湯沸かし器としたことで、商用電源が供給されなくなった時に起こるちらつき感を防止し、違和感をなくし使い勝手を向上させることができる。
すことができる。
【０００９】
請求項２に記載の発明は、異常表示とともに経過時間を表示する請求項１に記載の電気湯沸かし器とすることにより、商用電源が供給されなくなってからの経過時間も知ることが可能で、表示手段の利便性及び機能性を向上することができる。
【００１０】
請求項３に記載の発明は、異常表示のみ点滅して行う構成とした請求項２に記載の電気湯沸かし器とすることにより、商用電源が供給されなくなっても、商用電源が供給されていたときは異常であった旨を強調して知らしめることができ、使い勝手が良くなる。
【００１１】
請求項４に記載の発明は、所定時間経過後は、表示は行わない構成とした請求項１〜３のいずれか１項に記載の電気湯沸かし器とすることにより、商用電源が供給されなくなった後の電力消費を低減することができる。
【００１２】
請求項５に記載の発明は、所定時間経過後は、経過時間のみ表示を行う構成とした請求項２または３に記載の電気湯沸かし器とすることにより、商用電源が供給されなくなってからの経過時間を知ることが可能で、表示の利便性を向上させることができる。
【００１３】
請求項６に記載の発明は、所定時間経過後は、表示を点滅して行う構成とした請求項１〜３のいずれか１項に記載の電気湯沸かし器とすることにより、表示オフの分だけ商用電源が供給されなくなった後の電力消費を低減でき、また、経過時間と商用電源供給時は異常であった旨を知らしめることもでき、使い勝手が良くなる。
【００１４】
請求項７に記載の発明は、所定時間経過後は、異常表示を終了し温度表示を行う構成とした請求項１〜３のいずれか１項に記載の電気湯沸かし器とすることにより、商用電源が供給されなくなってから所定時間経過後は湯沸かし容器内の液体の温度を知ることが可能で、表示手段の利便性を向上することができる。
【００１５】
請求項８に記載の発明は、所定時間経過後は、温度表示とともに経過時間を表示する請求項７に記載の電気湯沸かし器とすることにより、商用電源が供給されなくなってからの経過時間も知ることが可能で、表示手段の利便性及び機能性を向上することができる。
【００１６】
請求項９に記載の発明は、表示を点滅して行う構成とした請求項８に記載の電気湯沸かし器とすることにより、商用電源が供給されなくなった後の電力消費を低減することができる。
【００１７】
請求項１０に記載の発明は、異常モードから復帰できる条件のときは、異常表示を終了し温度表示を行う構成とした請求項７〜９のいずれか１項に記載の電気湯沸かし器とすることにより、商用電源が供給されなくなった後でも異常状態が解除されたならば、所定時間経過していなくても湯沸かし容器内の液体の温度を知ることが可能で、表示手段の機能性を向上することができる。
【００１８】
【実施例】
以下、本発明の実施例について、図面を参照しながら説明する。
【００１９】
（実施例１）
図１は本発明の実施例１における電気湯沸かし器を示したものである。
【００２０】
図において、１は収容した水を沸して保温する湯沸かし容器、２は湯沸かし容器１を加熱するための９２５Ｗの主ヒータと７５Ｗの保温ヒータからなる加熱手段、３はポンプ４を駆動する出湯モータである。この出湯モータ３とポンプ４は磁気結合されており、これらにより湯沸かし容器１の湯を、水管５を介して出湯口６から排出するための出湯手段を構成している。７は水管５に対向して取り付けた赤外発光素子と受光素子からなる水量検知手段であり、３レベルの水量を検知する検知手段７ａ、７ｂ、７ｃから構成されている。検知手段７ａは満水位置に設置した満水検知、検知手段７ｂは中間水位位置に設置した中間水位検知、検知手段７ｃは湯沸かし容器１の空焚きを防止するために加熱手段２を停止する位置に設置した給水検知をそれぞれ行う。
【００２１】
８は湯沸かし容器１に給水するための水を収容した給水容器で、ポンプ９、給水管１１と一体式で機器本体１６に対して着脱可能としている。１０はポンプ９と磁気結合された給水モータで、この駆動により、給水容器８の水を、給水管１１を介して湯沸かし容器１に給水する。そして、ポンプ９と給水モータ１０で、給水容器８の水を湯沸かし容器１に給水する給水手段を構成している。１２は使用者が操作して出湯を指示するための出湯スイッチ、１３は出湯スイッチ１２の受け付けを許可するためのロック解除スイッチ、１４は湯沸かし容器１内の湯温を検知する温度検知手段、１５は給水容器８の着脱を検知する着脱センサである。
【００２２】
１７は商用電源を供給するための電源プラグ、１８は湯量が検知手段７ａ以上を検知しているにも関わらず、蛍光灯や太陽光などの光の影響、あるいは、湯の屈折率、検知手段７ｃの故障などにより検知手段７ａ以上、検知手段７ｃ未満と検知されているときにモードを異常モード（本実施例では水位センサ異常モード）に移行させるように制御する異常モード移行制御手段、１９は異常モード移行制御手段１８によりモードが異常モード中に異常状態を表示する表示手段（本実施例ではＬＣＤ）、２０は表示手段１９を制御する表示制御手段、２１は商用電源が供給されていないときに表示制御手段２０に電源を供給する一次電池で構成されたバックアップ電源、２２はバックアップ電源２１にて電源を供給開始してからの経過時間を計測する計測手段である。
【００２３】
以上のような構成において、その動作を説明する。電源プラグ１７をコンセントに挿入して機器に商用電源を投入すると動作を開始し、温度検知手段１４で検知する温度が８５℃未満ならば湯沸かし動作を行う。まず、湯沸かし容器１の水量が検知手段７ｃより少ない時、加熱手段２の加熱は停止している。給水手段９、１０は、湯沸かし容器１の水量が検知手段７ａより少なく、着脱センサ１５により給水容器８の装着が検知されているときに自動的に給水を開始し、水量が検知手段７ａ以上になると給水を停止する。加熱手段２は水量が給水検知手段７ｃを超えた時点で加熱を開始し、以後、温度検知手段１４により沸騰検知するまで加熱手段２の主ヒータによる加熱、沸騰検知以後は、加熱手段２の保温ヒータによる９８℃保温を行う。
【００２４】
ここで、出湯手段３、４を動作させると、水管５および出湯口６内を湯が通るため、水量検知手段７による検知水量は必ず満水検知手段７ａまで水量があると検知してしまう。このため、出湯中は水量検知手段７による湯沸かし容器１の湯量検知を禁止する構成となっている。
【００２５】
９８℃保温中の動作は満水時から出湯を繰り返すと湯沸かし容器１内の湯量は減っていくが、湯量が検知手段７ｂ以上あるとき、または着脱センサ１５により給水容器８が装着されていないと検知されているときは給水手段９、１０による給水は行わない。そして、湯量が検知手段７ｂ未満と検知され、かつ、着脱センサ１５により給水容器８が装着されていることが検知され、検知した時点から３分経過後に給水手段９、１０による給水動作を開始する。
【００２６】
その後、検知手段７ａ以上を検知すると給水手段９、１０を停止させ、給水途中あるいは給水終了後に、水を給水した結果湯温が下がり、保温温度９８℃から９３℃未満になると温度検知手段１４がこれを検知して加熱手段２により加熱を開始する。
【００２７】
表示制御手段２０は表示手段１９を制御し、温度検知手段１４で検知した湯沸かし容器１内の湯の温度を表示する。しかし、異常モード移行制御手段１８により、モードが水位センサ異常モードに移行すると、表示制御手段２０は表示手段１９を制御し、温度検知手段１４で検知した湯の温度の表示は停止し、検知手段７ａ、７ｂ、７ｃで検知した結果で確定した水位センサ異常モードの表示に切り替わる。このとき、電源プラグ１７が抜かれる等により、商用電源が供給されなくなっても、バックアップ電源２１により動作を継続することができ、電源が供給されて、表示制御手段２０は表示手段１９で水位センサ異常表示を表示し続ける。
【００２８】
更に、図２により詳細を説明する。図２は実施例１における電気湯沸かし器のフローチャートを示したものである。
【００２９】
計測手段２２は、ステップ１にて商用電源のオフを検知すると、バックアップ電源２１により電源を供給開始してからの経過時間を計測開始し、表示制御手段２０は、計測手段２２により入力する信号に基づき、ステップ２にて所定時間（本実施例では３０秒）経過を検知するまでは、ステップ３にて商用電源の供給が終了したときの水位センサ異常表示を維持し、ステップ２にて３０秒経過を検知後はステップ４にて表示手段１９による表示の更新を可能とする。
【００３０】
なお、本実施例では保温温度を９８℃としたが、８５℃、６０℃、または、それ以下等別の温度でもよく、機器の構成などによってこの温度は変わる。また、保温温度を９８℃と単一としたが、９８℃、８５℃、６０℃といったように複数個備えて、使用者により選択可能とすることもできる。
【００３１】
また、本実施例では異常モードとして水量検知手段７ａ、７ｃの組合せのみにより決定する水位センサ異常モードとしたが、湯沸かし容器１の湯量が検知手段７ｃ未満、かつ、着脱センサ１５により給水容器８が未装着と検知された時、あるいは、給水容器８が装着と検知された時であっても給水容器８内が空であるときに移行する給水モードとしてもよい。または、給水手段９、１０の脱調や故障などにより生じる給水異常モードとしてもよい。または、温度検知手段１４で検知した液体の温度が１２１℃以上となったときに移行する異常高温モードとしてもよい。
【００３２】
以上のような構成により、バックアップ電源２１にて電源を供給開始してから３０秒間は商用電源の供給が終了したときの異常表示を維持して、電源プラグ１７を抜いてすぐに表示手段１９による表示内容が切り替わることで生じるちらつき感を防止でき、違和感をなくし使い勝手を向上させることができる。
【００３３】
（実施例２）
本発明の実施例２における電気湯沸かし器について図１、図３を基に説明する。図３は実施例２における電気湯沸かし器のフローチャートを示したものである。
【００３４】
本実施例において実施例１と異なる点は、表示制御手段２０が、ステップ３、５にて計測手段２２で計測した時間と、水位センサ異常表示の両方を表示手段１９で表示するようにしたことである。
【００３５】
以上のような構成により、使用者は、商用電源が供給されなくなってから３０秒間は、商用電源が供給されていたときの異常状態に加えて商用電源がオフしてからの経過時間も知ることができ、湯沸かし容器１内の湯の状態を容易に想像することが可能となって、表示の利便性及び機能性を向上させることができる。
【００３６】
（実施例３）
本発明の実施例３における電気湯沸かし器について図１、図４を基に説明する。図４は実施例３における電気湯沸かし器のフローチャートを示したものである。
【００３７】
本実施例において実施例２と異なる点は、ステップ６にて表示手段２２が水位センサ異常表示のみ０．５秒毎に点滅して行うようにしたことである。なお、本実施例では０．５秒毎に点滅としたが、０．２秒、１．０秒でもよく、仕様目的などによってこの点滅周期は変わる。
【００３８】
以上の構成により、使用者に、商用電源が供給されなくなっても、湯沸かし容器１内の湯は商用電源が供給されていたときは水位センサ異常状態であった旨を強調して知らしめることができ、使い勝手が良くなる。
【００３９】
（実施例４）
本発明の実施例４における電気湯沸かし器について図１、図５を基に説明する。図５は実施例４における電気湯沸かし器のフローチャートを示したものである。
【００４０】
本実施例において実施例１と異なる点は、ステップ２にて計測手段２２で計測した時間が３０秒経過後は、ステップ７にて表示手段２２による表示は行わないようにしたことである。
【００４１】
以上の構成により、商用電源が供給されなくなった後の消費電力を低減し、バックアップ電源２１で機器が動作できる時間を延ばすことができる。
【００４２】
（実施例５）
本発明の実施例５における電気湯沸かし器について図１、図６を基に説明する。図６は実施例５における電気湯沸かし器のフローチャートを示したものである。
【００４３】
本実施例において実施例４と異なる点は、ステップ２にて計測手段２２で計測した時間が３０秒経過後は、ステップ８にて表示手段２２による表示は計測手段２２にて計測した経過時間のみを行うようにしたことである。
【００４４】
以上の構成により、商用電源がオフしてからの経過時間をバックアップ電源２１の寿命がある限り知ることができ、表示の利便性を向上させることができる。
【００４５】
（実施例６）
本発明の実施例６における電気湯沸かし器について図１を基に説明する。  本実施例において実施例４と異なる点は、計測手段２２で計測した時間が３０秒経過後は、表示手段２２による表示を点滅して行うようにしたことである。
【００４６】
以上の構成により、計測手段２２にて計測した経過時間と商用電源が供給されていたときは水位センサ異常状態であった旨を知らしめることができ、さらに、表示オフの分だけ商用電源が供給されなくなった後の消費電力を低減することもでき、使い勝手が良くなる。
【００４７】
（実施例７）
本発明の実施例７における電気湯沸かし器について図１、図７を基に説明する。図７は実施例７における電気湯沸かし器のフローチャートを示したものである。
【００４８】
本実施例において実施例１と異なる点は、ステップ２にて計測手段２２で計測した時間が３０秒経過後は、ステップ９にて表示手段２２は異常表示を停止し、温度検知手段１４により検出した温度表示を行うようにしたことである。
【００４９】
以上の構成により、商用電源が供給されなくなってから３０秒経過後は、湯沸かし容器１内の湯の温度を知ることにより、例えば、商用電源供給時に容器１内の湯の状態が異常でないにも関わらず、水量検知手段７の誤検知、故障などにより水位センサ異常モードに移行したときなどに電源プラグ１７がオフされても、３０秒後には自動的に温度表示に切り替わることが可能となり、表示の利便性及び機能性を向上することができる。
【００５０】
（実施例８）
本発明の実施例８における電気湯沸かし器について図１、図８を基に説明する。図８は実施例８における電気湯沸かし器のフローチャートを示したものである。
【００５１】
本実施例において実施例７と異なる点は、ステップ２にて計測手段２２で計測した時間が３０秒経過後は、ステップ１０にて表示制御手段２０が、計測手段２２で計測した時間と、温度検知手段１４により検出した温度表示の両方を表示手段１９で表示するようにしたことである。
【００５２】
以上の構成により、商用電源が供給されなくなってから３０秒経過後は、商用電源が供給されなくなってからの経過時間と液体温度の両方を知ることにより、例えば、商用電源が供給されなくなってから１時間など長時間経過した場合においても、使用者が容器１内の湯の状態を容易に想像することが可能となり、表示の利便性を向上することができる。
【００５３】
（実施例９）
本発明の実施例９における電気湯沸かし器について図１を基に説明する。  本実施例において実施例８と異なる点は、表示手段１９による表示を点滅して行うようにしたことである。
【００５４】
以上の構成により、表示手段１９の点灯時間を削減し、バックアップ電源２１の消費電力を低減して、バックアップ電源２１を構成する一次電池の寿命を延ばすことができる。
【００５５】
（実施例１０）
本発明の実施例１０における電気湯沸かし器について図１、図９を基に説明する。図９は実施例１０における電気湯沸かし器のフローチャートを示したものである。
【００５６】
本実施例において実施例８と異なる点は、商用電源が供給されないときも、水量検知手段７ａ、７ｂ、７ｃによる検知を行い、ステップ１１にてその結果が正常であれば、ステップ１２にて表示手段１９は異常表示を終了し、温度検知手段１４により検出した湯沸かし容器１内の湯の温度表示を行うようにしたことである。
【００５７】
以上の構成により、商用電源が供給されなくなった後でも異常状態が解除されたならば、３０秒経過していなくても湯沸かし容器１内の湯の温度を知ることが可能で、表示の利便性を向上することができる。
【００５８】
【発明の効果】
以上のように、本発明の電気湯沸かし器は、異常モードでの異常表示中、商用電源が供給されなくなった後、所定時間は商用電源の供給が終了したときの異常表示を維持することにより、表示内容が異常表示から別のものにすぐ切り替わることによるちらつき感を防いで、使用者に与える違和感をなくすことができ、使い勝手を向上させることができる。
【図面の簡単な説明】
【図１】本発明の実施例１〜１０における電気湯沸かし器の構成図
【図２】本発明の実施例１における電気湯沸かし器のフローチャート
【図３】本発明の実施例２における電気湯沸かし器のフローチャート
【図４】本発明の実施例３における電気湯沸かし器のフローチャート
【図５】本発明の実施例４における電気湯沸かし器のフローチャート
【図６】本発明の実施例５における電気湯沸かし器のフローチャート
【図７】本発明の実施例７における電気湯沸かし器のフローチャート
【図８】本発明の実施例８における電気湯沸かし器のフローチャート
【図９】本発明の実施例１０における電気湯沸かし器のフローチャート
【符号の説明】
１  湯沸かし容器
２  加熱手段
３  出湯モータ（出湯手段）
４  ポンプ（出湯手段）
７  水量検知手段
８  給水容器
９  ポンプ（給水手段）
１０  給水モータ（給水手段）
１４  温度検知手段
１８  異常モード移行制御手段
１９  表示手段
２０  表示制御手段
２１  バックアップ電源
２２  計測手段
【図１】
2004230097.tif 000003
【図２】
2004230097.tif 000004
【図３】
2004230097.tif 000005
【図４】
2004230097.tif 000006
【図５】
2004230097.tif 000007
【図６】
2004230097.tif 000008
【図７】
2004230097.tif 000009
【図８】
2004230097.tif 000010
【図９】
2004230097.tif 000011